(57)【要約】      （修正有）【課題】配線トレーの取付対象の構造を複雑化させることなく、配線トレーの取付性を向上し得る収納装置を提供する。【解決手段】収納装置１は、前方開口の収納空間の奥側面４との間に両内側面２４ａ，２５ａに架け渡される棚板２０と、棚板の幅方向に沿う方向に延びる上方開口の配線収納凹所１１と棚板の前後方向に沿う方向に突出し棚板後端部２１を上下から挟む上下の弾性引掛片１５，１６とを有した配線トレー１０とを備えており、棚板後端部に上下の弾性引掛片を引掛可能なように配線トレーを取り付けた状態で配線収納凹所の後側を区画する後側片部１８と収納空間の奥側面との間に隙間Ｇが形成され、かつ、上下の弾性引掛片のうちの上面側の弾性引掛片１５が外れ側へ移動する際には、上面側の弾性引掛片の一部が棚板の上面２２に引っ掛かった状態で後側片部が奥側面に当接される構造とする。【選択図】図１
2014204785.tif 000002
【特許請求の範囲】
【請求項１】
前方開口の収納空間の奥側面との間に空間を設けるように該収納空間の両内側面に架け渡される棚板と、
該棚板の幅方向に沿う方向に延びる凹溝状とされ前記空間に位置するように配設される上方開口の配線収納凹所と前記棚板の前後方向に沿う方向に突出し前記棚板の後端部を上下から挟む上下の弾性引掛片とを有した配線トレーと、を備えており、
架け渡された状態の前記棚板の後端部に前記上下の弾性引掛片を引掛可能なように前記配線トレーを取り付けた状態で前記配線収納凹所の後側を区画する後側片部と前記収納空間の奥側面との間に隙間が形成され、かつ、前記上下の弾性引掛片のうちの上面側の弾性引掛片が外れ側へ移動する際には、該上面側の弾性引掛片の一部が前記棚板の上面に引っ掛かった状態で前記後側片部が前記奥側面に当接される構造とされていることを特徴とする収納装置。
【請求項２】
請求項１において、
前記配線トレーの後側片部は、上方側から下方側に向かうに従い、前方側へ下る傾斜状とされていることを特徴とする収納装置。
【請求項３】
請求項２において、
前記配線トレーの後側片部の上端に、上方に向けて突出する突出片部を更に設けていることを特徴とする収納装置。
【発明の詳細な説明】
【技術分野】
【０００１】
本発明は、棚板を備えた収納装置に関する。
【背景技術】
【０００２】
従来より、電子機器や電化製品等の物品が載置されたり、収納されたりする机や収納家具等のような家具が知られている。このような家具に載置された電子機器や電化製品等の配線が、机等の天板や収納家具の棚板等の上面側等に露出した状態では、見栄えを損なうという問題があった。
例えば、下記特許文献１では、机の天板とフロントパネルとの間に配線挿通用の開口部を形成し、この開口部に配線収納部の底部を構成するような配線ダクトを設けた構成の開示がある。
【先行技術文献】
【特許文献】
【０００３】
【特許文献１】特開平３−２７５００３号公報
【発明の概要】
【発明が解決しようとする課題】
【０００４】
しかしながら、上記特許文献１では、机自体の天板や側板等に配線収納部となる開口部を加工する必要があり、配線収納部を設ける対象としての家具自体の構造が複雑化するという問題があった。また、配線ダクトの取付性についても考慮がなされておらず、更なる改善が望まれる。
【０００５】
本発明は、上記実情に鑑みてなされたものであり、配線トレーの取付対象の構造を複雑化させることなく、配線トレーの取付性を向上し得る収納装置を提供することを目的とする。
【課題を解決するための手段】
【０００６】
上記目的を達成するために、本発明に係る収納装置は、前方開口の収納空間の奥側面との間に空間を設けるように該収納空間の両内側面に架け渡される棚板と、該棚板の幅方向に沿う方向に延びる凹溝状とされ前記空間に位置するように配設される上方開口の配線収納凹所と前記棚板の前後方向に沿う方向に突出し前記棚板の後端部を上下から挟む上下の弾性引掛片とを有した配線トレーと、を備えており、架け渡された状態の前記棚板の後端部に前記上下の弾性引掛片を引掛可能なように前記配線トレーを取り付けた状態で前記配線収納凹所の後側を区画する後側片部と前記収納空間の奥側面との間に隙間が形成され、かつ、前記上下の弾性引掛片のうちの上面側の弾性引掛片が外れ側へ移動する際には、該上面側の弾性引掛片の一部が前記棚板の上面に引っ掛かった状態で前記後側片部が前記奥側面に当接される構造とされていることを特徴とする。
【０００７】
本発明においては、前記配線トレーの後側片部は、上方側から下方側に向かうに従い、前方側へ下る傾斜状とされていてもよい。
また、本発明においては、前記配線トレーの後側片部の上端に、上方に向けて突出する突出片部を更に設けていてもよい。
【発明の効果】
【０００８】
本発明に係る収納装置は、上述のような構成としたことで、配線トレーの取付対象の構造を複雑化させることなく、配線トレーの取付性を向上させることができる。
【図面の簡単な説明】
【０００９】
【図１】（ａ）は、本発明の一実施形態に係る収納装置の一例を模式的に示す図３のＸ−Ｘ線矢視に対応させた一部破断概略縦断面図、（ｂ）は、同収納装置が備える配線トレーの一例を模式的に示す概略斜視図である。
【図２】（ａ）は、同配線トレーの取付手順の一例を模式的に示し、図１（ａ）に対応させた一部破断概略縦断面図、（ｂ）は、図１（ａ）に対応させた一部破断概略縦断面図である。
【図３】同収納装置の一例を模式的に示す概略正面図である。
【発明を実施するための形態】
【００１０】
以下に本発明の実施の形態について、図面に基づいて説明する。
なお、一部の図では、他図に付している詳細な符号の一部を省略している。また、設置された収納装置の収納空間に対面した状態を基準として、手間側を前方側、その逆側を後方側として説明し、また、その状態を基準として、上下方向等の方向を説明する。
【００１１】
図１〜図３は、本実施形態に係る収納装置の一例を模式的に示す図である。
本実施形態に係る収納装置１は、図３に示すように、配線トレー１０と、棚板２０と、棚板２０の左右両側に配される左右の縦仕切板２４，２５と、を備えている。
本実施形態では、収納装置１は、上下方向に複数段の収納空間を有した収納部を備えた構造とされている。また、本実施形態では、収納装置１を、左右方向に複数列（図例では３列）の収納部を備えたものとしている。これら収納部は、それぞれ上下方向に延びる左右の縦仕切板２５，２５によって区画されている。図例では、左右方向に間隔を空けて４枚の縦仕切板２５，２５，２５，２５を配設し、それぞれの収納部の左右両側を左右に隣り合う縦仕切板２５，２５によって区画した例を示している。
【００１２】
また、本実施形態では、図３に示すように、縦仕切板２５，２５，２５，２５を、それぞれの下端を床面２に当接させるように配設し、各収納部の最下段の収納空間の底面を床面２とした例を示している。なお、このような態様に代えて、各収納部の最下段の収納空間の底面を構成する底板を備えた態様としてもよい。
また、本実施形態では、縦仕切板２５，２５，２５，２５を、それぞれの上端を天井面３に当接させるように配設し、各収納部の最上段の収納空間の天面を天井面３とした例を示している。なお、このような態様に代えて、各収納部の最上段の収納空間の天面を構成する天板を備えた態様としてもよい。
また、本実施形態では、図１（ａ）に示すように、縦仕切板２５，２５，２５，２５を、それぞれの後端を壁面４に当接させるように配設し、各収納部の収納空間の奥側面を壁面４とした例を示している。なお、このような態様に代えて、各収納部の収納空間の奥側面を構成する背板を備えた構成としてもよい。
このような構成により、各収納部は、左右に隣り合う縦仕切板２５，２５、床面２、天井面３及び壁面４によって、前方に開口した構造とされている。
【００１３】
また、本実施形態では、左右方向中央に位置する中央収納部の間口寸法を、その左右両側に位置する側部収納部の間口寸法よりも大きな寸法としている。
両側の側部収納部は、それぞれ左右に隣り合う縦仕切板２５，２５間に、複数枚の棚板２０Ａ，２０Ｂを上下方向に間隔を空けて架け渡し、上下方向に複数段の収納空間を区画した構造とされている。
中央収納部は、左右に隣り合う縦仕切板２５，２５間に、複数枚の棚板２０Ｂを上下方向に間隔を空けて架け渡し、上下方向に複数段の収納空間を区画した構造とされている。本実施形態では、この中央収納部の上下の収納空間のうちの中段部を、物品としてのテレビ等の表示装置７を収納可能とした比較的に大きな収納空間としている。
【００１４】
棚板２０Ａは、左右に隣り合う縦仕切板２５，２５に対する上下方向の配設位置の変更が可能とされた可動棚板２０Ａとしてもよい。例えば、各縦仕切板２５，２５の内側面２５ａ，２５ａに、上下方向に適宜の間隔を空けて互いに対向する方向に向けて開口するように設けたダボ穴に、棚受ダボ等を挿入し、この棚受ダボに棚板２０Ａの下面側等に設けた係合凹所を係合させた構成としてもよい。
また、棚板２０Ｂは、壁面４に沿うように固定される固定片部を後端部に設けた固定棚板２０Ｂとしてもよい。このような構成とすれば、壁付収納装置としての収納装置１を安定的に設置することができる。
【００１５】
上記した中央収納部の中段部の下段側の空間は、中段部よりも上下寸法が小さな空間とされている。この下段側の空間は、左右方向中央に設けた上下に延びる縦仕切板２４によって左右に区画されている。また、このように左右に区画された下段側の左右の空間には、それぞれの空間を上下に区画する棚板２０，２０が左右の縦仕切板２４，２５の両内側面２４ａ，２５ａに架け渡されている。
これら棚板２０，２０は、互いに略同様の構成とされている。
また、それぞれの棚板２０，２０上を、電子機器５，５等が収納される収納空間とした例を示している。このような電子機器５，５としては、上段側に収納されるテレビ等の表示装置７に関連して配されるものとしてもよい。また、電子機器５，５としては、レコーダー等の録画機器や音響機器等としてもよい。
【００１６】
棚板２０，２０は、図１（ａ）に示すように、壁面４との間に空間を設けるように縦仕切板２４，２５間に架け渡される。これら棚板２０，２０は、この空間の前後寸法に応じて、それぞれの前後寸法が縦仕切板２４，２５の前後寸法よりも小さく形成されている。
本実施形態では、図１（ａ）及び図３に示すように、これら棚板２０，２０を配線トレー１０，１０の取付対象としている。
なお、本実施形態では、棚板２０，２０が架け渡される収納空間の両内側面２４ａ，２５ａを、両縦仕切板２４，２５によって構成した例を示しているが、この態様に限定されない。棚板２０が架け渡される収納空間の両内側面２４ａ，２５ａの両方または一方を、壁面としてもよい。
【００１７】
配線トレー１０は、図１（ａ）及び図３に示すように、棚板２０の後端部２１に取付けられる。
また、配線トレー１０は、図１に示すように、棚板２０の後方側に配設される上方開口の配線収納凹所１１と、この配線収納凹所１１の前方側に設けられ、棚板２０の後端部２１を上下から挟む上下の弾性引掛片１５，１６と、を備えている。
この配線トレー１０は、図１及び図３に示すように、棚板２０の幅方向に沿って長尺状とされている。なお、図例では、配線トレー１０の長さ寸法を、棚板２０の幅寸法（収納間口寸法）よりも小さくした例を示しているが、配線トレー１０の長さ寸法を、棚板２０の幅寸法と略同寸法としてもよい。
【００１８】
上面側の弾性引掛片１５としての上面引掛片１５は、棚板２０の上面２２に引っ掛けられる。また、下面側の弾性引掛片１６としての下面引掛片１６は、棚板２０の下面２３に引っ掛けられる。
これら上面引掛片１５及び下面引掛片１６は、図１（ａ）に示すように、棚板２０の前後方向（収納奥行方向）に沿う方向に突出するように配線トレー１０に設けられている。
また、これら上面引掛片１５及び下面引掛片１６は、図１（ｂ）に示すように、それぞれ薄板状とされており、配線トレー１０の長手方向の全体に亘って設けられている。また、これら上面引掛片１５及び下面引掛片１６は、互いに略同厚さ寸法とされている。また、これら上面引掛片１５及び下面引掛片１６は、棚板２０の後端面に沿うように配設される連結片部１３によって連結されている。配線トレー１０は、これら上面引掛片１５、下面引掛片１６及び連結片部１３によって、前方に開口し棚板２０の後端部２１が嵌め込まれる凹溝を形成した構造とされている。
【００１９】
上面引掛片１５は、図１（ａ）に示すように、連結片部１３の上端部から突出するように設けられている。
また、上面引掛片１５は、本実施形態では、下面引掛片１６から上面引掛片１５の突出方向先端１５ａまでの棚板２０の厚さ方向に沿う寸法（上下寸法）Ｈが、棚板２０の厚さ寸法Ｔよりも小さくなるように、基端側から突出方向先端側に向かうに従い下る傾斜状とされている。つまり、上面引掛片１５は、連結片部１３から斜め手前下方向に突出するように設けられている。また、上面引掛片１５、下面引掛片１６及び連結片部１３によって形成された凹溝は、その溝幅寸法（上下寸法）が連結片部１３側から上面引掛片１５の突出方向先端１５ａ側に向かうに従い小さくなるような形状とされている。
下面引掛片１６は、図１（ａ）に示すように、連結片部１３の下端部から連結片部１３に略直交する方向に突出するように設けられている。
これら上面引掛片１５及び下面引掛片１６の基端部間の寸法は、棚板２０の厚さ寸法Ｔと略同寸法または棚板２０の厚さ寸法Ｔよりも僅かに大きい寸法とされている。
【００２０】
また、下面引掛片１６の突出寸法Ｄ２を、上面引掛片１５の突出寸法よりも大としている。この下面引掛片１６の突出寸法Ｄ２は、連結片部１３の前側面から下面引掛片１６の突出方向先端までの棚板２０の前後方向に沿う寸法である。また、上面引掛片１５の突出寸法Ｄ１は、連結片部１３の前側面から上面引掛片１５の突出方向先端１５ａまでの棚板２０の前後方向に沿う寸法である。なお、上記のように上面引掛片１５を傾斜状とした場合には、上面引掛片１５の突出寸法Ｄ１を、上面引掛片１５の突出方向に沿う寸法として把握するようにしてもよいが、本実施形態では、上面引掛片１５の突出寸法Ｄ１を、棚板２０の前後方向に沿う寸法としている。
【００２１】
これら上面引掛片１５及び下面引掛片１６の突出寸法Ｄ１，Ｄ２は、配線トレー１０の取付強度や、後記するように配線トレー１０を棚板２０の後端部２１へ取り付ける際における取付性等の観点から適宜設定するようにしてもよい。
例えば、下面引掛片１６の突出寸法Ｄ２を、上面引掛片１５の突出寸法Ｄ１の略１．２倍〜３．０倍の寸法としてもよい。図例では、下面引掛片１６の突出寸法Ｄ２を、上面引掛片１５の突出寸法Ｄ１の略２倍とした例を示している。また、上記のような観点から、例えば、上面引掛片１５の突出寸法Ｄ１を、５．０ｍｍ〜１２．０ｍｍ程度とし、下面引掛片１６の突出寸法Ｄ２を、１０．０ｍｍ〜２４．０ｍｍ程度としてもよい。
また、上記上下寸法Ｈは、上記同様、配線トレー１０の取付強度や取付性等の観点や、上面引掛片１５及び下面引掛片１６の突出寸法Ｄ１，Ｄ２に応じて、適宜設定するようにしてもよい。この上下寸法Ｈは、上面引掛片１５及び下面引掛片１６の突出寸法Ｄ１，Ｄ２を上記のような寸法とした場合には、例えば、棚板２０の厚さ寸法Ｔよりも０．５ｍｍ〜２．０ｍｍ程度小さい寸法としてもよい。
【００２２】
配線収納凹所１１は、図１（ａ）に示すように、棚板２０の幅方向に沿う方向に延びる凹溝状とされ、上記した棚板２０と壁面４との間の空間に位置するように配設される。この配線収納凹所１１は、棚板２０に載置された電子機器５や他の収納空間に収納された電子機器５の配線６や、これに関連して設けられる電源装置や差込接続器等が収納可能とされている。
また、配線収納凹所１１は、図１（ｂ）に示すように、配線トレー１０の長手方向の全体に亘って設けられ、長手方向両側にも開口した形状とされている。なお、このような態様に代えて、配線収納凹所１１の長手方向両端または一端が閉塞された態様としてもよい。
この配線収納凹所１１は、図１に示すように、前側を区画する片部（前側片部）１２と、底側を区画する底片部１７と、後側を区画する片部（後側片部）１８と、によって区画されている。
これら前側片部１２、後側片部１８及び底片部１７は、図１（ｂ）に示すように、薄板状とされている。
【００２３】
前側片部１２は、本実施形態では、図１（ｂ）に示すように、上記した連結片部１３とこの連結片部１３に連なるように下面引掛片１６の基端部から下方に向けて延びる延出片部１４とによって構成されている。つまり、上記した連結片部１３は、前側片部１２を構成し、本実施形態では、この前側片部１２に上面引掛片１５及び下面引掛片１６を設けた構成とされている。
また、これら連結片部１３と延出片部１４とは、互いに上下に連なるように設けられている。
この延出片部１４に、その下端部から後方側に向けて延出片部１４に略直交する方向に突出するように底片部１７が設けられている。
【００２４】
また、本実施形態では、図１（ａ）に示すように、延出片部１４の厚さ寸法Ｔ２を、連結片部１３の厚さ寸法Ｔ１よりも大きくしている。また、配線トレー１０を構成する延出片部１４以外の連結片部１３を含む各片部の厚さ寸法を、略同寸法としている。
また、これら連結片部１３及び延出片部１４を含み配線トレー１０を構成する各片部は、それぞれ長手方向の全体に亘って略均等の厚さ寸法とされている。
これら連結片部１３及び延出片部１４を含む各片部の厚さ寸法を小さくし過ぎれば、配線トレー１０が破損し易くなる傾向がある。一方、これら各片部の厚さ寸法を大きくし過ぎれば、配線収納空間１１の収納空間が小さくなり、また、上面引掛片１５及び下面引掛片１６が目立ち易くなる傾向がある。
このような観点から、連結片部１３の厚さ寸法Ｔ１（つまりは延出片部１４以外の各片部の厚さ寸法）を、１．０ｍｍ〜２．５ｍｍ程度とし、延出片部１４の厚さ寸法Ｔ２を、１．１ｍｍ〜２．８ｍｍ程度としてもよい。
【００２５】
また、本実施形態では、図１（ａ）に示すように、下面引掛片１６と延出片部１４との入隅部及び延出片部１４と底片部１７との入隅部を、それぞれ肉厚にするようにフィレット状に形成している。図例では、これら入隅部の表面を凹湾曲面形状（Ｒ面形状）とした例を示しているが、凸湾曲面形状やＣ面形状等としてもよい。これら入隅部をフィレット状とすれば、比較的に大きな負荷が掛かる傾向がある部位となるこれら入隅部の強度を向上させることができる。
【００２６】
後側片部１８は、底片部１７の後端部から上方側に向けて突出するように設けられている。
本実施形態では、後側片部１８を、図１（ａ）に示すように、上方側から下方側に向かうに従い、前方側へ下る傾斜状としている。
また、本実施形態では、後側片部１８を、配線トレー１０の長手方向に見て（縦断面視して）、上面引掛片１５の突出方向先端１５ａを略円心とする円弧に略沿うような形状としている。つまり、後側片部１８は、長手方向に見て上端から下端まで一面状（平板状）とされた傾斜状ではなく、その幅方向途中部位が後方側に突出するような形状とされている。この上面引掛片１５の突出方向先端１５ａは、後記するように、配線トレー１０を回動させて棚板２０に取り付ける際に棚板２０の上面２２に当接され、概ね回動軸となる（図２（ａ）参照）。
【００２７】
また、本実施形態では、後側片部１８を、それぞれが平板状とされた複数（図例では二つ）の平板部からなる多面状としている。また、これら平板部のそれぞれの幅方向端部が上記円弧上に概ね位置するように後側片部１８を形成している。つまり、本実施形態では、後側片部１８を、配線トレー１０の長手方向に見て、上面引掛片１５の突出方向先端１５ａを略中心とする多角形の一部となるような形状としている。
なお、後側片部１８は、上記のように二つの平板部からなる多面状とされたものに限られず、三つ以上の平板部からなる多面状とされたものとしてもよい。または、後側片部１８を、上記円弧に略沿うような滑らかな一連状の凸湾曲形状としてもよい。更には、このような態様に代えて、後側片部１８を、上記とは逆に前方側に突出する凸湾曲形状としたり、上端から下端まで一面状（平板状）の傾斜状としてもよい。
【００２８】
また、本実施形態では、図１（ａ）に示すように、後側片部１８の上端に、配線トレー１０が取り付けられた状態で上方に向けて突出する突出片部１９を更に設けている。この突出片部１９の突出寸法は、例えば、数ｍｍ程度としてもよい。
なお、本実施形態では、後側片部１８の傾斜形状とされた部位の上端に連なるように更に突出片部１９を設けた態様としたが、この突出片部１９を含み後側片部１８を上記のように円弧に略沿う形状としてもよい。
【００２９】
また、本実施形態では、配線収納凹所１１の前側片部１２及び後側片部１８を、それぞれの上端が上面引掛片１５よりも上方側に突出しないように形成している。
本実施形態では、後側片部１８の上端に突出片部１９を設けているので、配線収納凹所１１の前側片部１２及び後側片部１８を、突出片部１９の上端が上面引掛片１５よりも上方側に突出しないように形成している。
また、本実施形態では、配線収納凹所１１の突出片部１９の上端（後側片部１８の上端）を上面引掛片１５の上面（基端部の上面）よりも下方側に位置させた例を示している。図例では、突出片部１９の上端（後側片部１８の上端）が、配線トレー１０を取り付けた状態における上下方向で連結片部１３の上下の略中間に位置するように、後側片部１８を形成した例を示している。
【００３０】
なお、配線収納凹所１１の前後寸法や深さ寸法（後側片部１８の上端から底片部１７までの上下方向に沿う寸法）は、配線６等の収納が可能なように、また、配線トレー１０の取付対象に応じて適宜の寸法に設定してもよい。例えば、配線収納凹所１１の前後寸法を、３０．０ｍｍ〜５０．０ｍｍ程度としてもよく、配線収納凹所１１の深さ寸法を、２０．０ｍｍ〜４０．０ｍｍ程度としてもよい。
【００３１】
また、収納装置１は、架け渡された状態の棚板２０の後端部２１に上下の弾性引掛片１５，１６を引掛可能なように配線トレー１０を取り付けた状態で配線収納凹所１１の後側片部１８と壁面４との間に隙間Ｇが形成される構造とされている。また、収納装置１は、上下の弾性引掛片１５，１６のうちの上面引掛片１５が外れ側へ移動する際には、上面引掛片１５の一部が棚板２０の上面２２に引っ掛かった状態で後側片部１８が壁面４に当接される構造とされている。
つまり、棚板２０に取り付けられた状態の配線トレー１０に対して外れ側への外力が作用し、配線トレー１０が外れ側に移動する際には、図２（ｂ）に示すように、配線トレー１０の上面引掛片１５が棚板２０の上面２２に沿って外れ側（後方側）に移動する。これに伴い後側片部１８を含んだ配線収納凹所１１が後方側に移動することとなる。本実施形態では、上面引掛片１５が棚板２０の上面２２から外れるよりも先に、後側片部１８が壁面４に当接する構造とされている。
【００３２】
上記した棚板２０と壁面４との間の空間は、架け渡された状態の棚板２０の後端部２１に配線トレー１０を取り付けるために必要となる取付スペースを構成する。また、この空間は、配線トレー１０の形状や配線トレー１０の棚板２０への取付態様等に応じて、架け渡された状態の棚板２０の後端部２１に配線トレー１０を取り付け可能なように、かつ配線トレー１０の上面引掛片１５が棚板２０から外れるよりも先に後側片部１８が壁面４に当接するように形成されている。また、この空間は、配線トレー１０を取り付ける際に、配線トレー１０が壁面４に略干渉しないように形成するようにしてもよい。
【００３３】
本実施形態では、下面引掛片１６の突出寸法Ｄ２を上面引掛片１５の突出寸法Ｄ１よりも大きくし、後側片部１８を上記のような傾斜状としており、配線トレー１０を、図２（ａ）に示すように、以下のような取付態様によって棚板２０に取付可能としている。
本実施形態では、配線トレー１０を保持したユーザーが、取付対象となる棚板２０の上方側から容易に取付作業が可能な態様としている。
まず、配線トレー１０を、図２（ａ）に示すように、配線収納凹所１１の開口方向が斜め手前上方側となるように長手方向軸廻りに斜め状とした状態で、上面引掛片１５を棚板２０の後端部２１の上面２２に引っ掛けて、連結片部１３を棚板２０の後端部２１の上端角部に当接させる。そして、この状態から下面引掛片１６を棚板２０の後端部２１の下端角部に沿わせながら配線収納凹所１１の開口方向が上方となるように配線トレー１０を長手方向軸廻りに回動させ、下面引掛片１６を棚板２０の後端部２１の下面２３に引っ掛ける。このような態様によって、図１（ａ）に示すように、配線トレー１０を棚板２０に取付可能としている。
【００３４】
このように配線トレー１０が棚板２０に取り付けられた状態では、架け渡された状態の棚板２０の後端部２１に配線トレー１０を取り付ける際に必要となる取付スペースの一部となる隙間Ｇが形成される。この隙間Ｇの前後寸法と配線収納凹所１１の前後寸法とを足し合わせた寸法が、上記空間の前後寸法となる。
本実施形態では、後側片部１８を、上記のような傾斜状とし、配線トレー１０を上記のように取付可能としているので、隙間Ｇを小さくすることが可能となる。
この隙間Ｇの前後寸法（つまりは上記空間の前後寸法）を大きくし過ぎれば、上面引掛片１５の突出寸法Ｄ１を大きくする必要が生じる傾向があり、隙間Ｇの前後寸法を小さくし過ぎれば、配線トレー１０の棚板２０への取付性が悪くなる傾向がある。配線トレー１０を上記形状とし、上記取付態様で取付可能とした場合には、隙間Ｇの前後寸法が、例えば、１．０ｍｍ〜５．０ｍｍ程度となるように、上記空間を形成するようにしてもよい。
【００３５】
また、上面引掛片１５の突出寸法Ｄ１は、配線トレー１０が外れ方向に移動する際における、配線トレー１０が棚板２０に取り付けられた状態（連結片部１３が棚板２０の後端面に当接した状態）から壁面４に当接するまでの後側片部１８の上端の移動寸法よりも大きな寸法とされている。この上面引掛片１５の突出寸法Ｄ１は、棚板２０への掛かり代を大きくする観点等からは大きな寸法とすることが望ましいが、大きくし過ぎれば、棚板２０の上面２２の載置スペースが小さくなる傾向があるので、上記のような寸法としている。このような観点から、この上面引掛片１５の突出寸法Ｄ１は、例えば、隙間Ｇの略１．５〜４．０倍の寸法としてもよい。また、上面引掛片１５の突出寸法Ｄ１を、外れ側へ移動する配線トレー１０の後側片部１８が壁面４に当接した際に、上面引掛片１５の突出寸法Ｄ１の略１／４以上、好ましくは、略１／３以上が棚板２０の後端部２１に引っ掛かった状態となるような寸法としてもよい。
【００３６】
なお、収納装置１を構成する縦仕切板２４，２５や棚板２０，２０Ａ，２０Ｂは、木質系材料や木粉・プラスチック複合材（ＷＰＣ）、合成樹脂系材料等からなるものとしてもよい。また、これらを板状に加工した基材に、適宜、合成樹脂シートや突板等の表面化粧シートを貼着した構成としてもよい。
また、配線トレー１０は、金属系材料や合成樹脂系材料から上記した形状に一体的に形成されたものとしてもよい。
また、配線トレー１０の上方開口を開閉する開閉蓋を適宜設けるようにしてもよい。または、配線収納凹所１１の上方開口に、前後方向途中部位に長手方向に沿うように配線６等の挿通が可能とされたスリットを設けた弾性部材からなる遮蔽部材を設けるようにしてもよい。
【００３７】
本実施形態に係る収納装置１は、上述のような構成としたことで、配線トレー１０の取付対象の構造を複雑化させることなく、配線トレー１０の取付性を向上させることができる。
つまり、当該収納装置１は、棚板２０の幅方向に沿う方向に延びる凹溝状とされ、棚板２０の後方側に設けられた空間に位置するように配設される上方開口の配線収納凹所１１を有した配線トレー１０を備えている。従って、配線６や、これに関連して設けられる電源装置や差込接続器等を棚板２０に取り付けた配線トレー１０の配線収納凹所１１に目立ち難く収納することができる。
また、配線トレー１０は、棚板２０の後端部２１を上下から挟む上面引掛片１５及び下面引掛片１６（上下の弾性引掛片）を備えている。従って、上下の弾性引掛片１５，１６を弾性変形させて配線トレー１０を棚板２０の後端部２１に取り付けることができるので、例えば、ねじ等の止具によって取り付けるような場合と比べて、配線トレー１０の取付性を向上させることができる。また、このように弾性引掛片１５，１６によって配線トレー１０を棚板２０に取り付けることができるので、取付対象としての棚板２０の構造を複雑化させることなく、配線収納凹所１１を設けることができる。また、配線トレー１０を棚板２０から取り外すことも容易に可能となる。これにより、例えば、配線トレー１０の長さを棚板２０の幅寸法よりも小さいものとした場合には棚板２０の他の箇所に取り付けたりすることも可能となり、さらには、他の棚板２０の後端部２１に取り付けることも容易に可能となる。
【００３８】
また、収納装置１を、架け渡された状態の棚板２０の後端部２１に、配線トレー１０の上下の弾性引掛片１５，１６を引掛可能なように、配線トレー１０を取り付けた状態で配線収納凹所１１の後側片部１８と収納空間の壁面（奥側面）４との間に隙間Ｇが形成される構成としている。つまり、上下の弾性引掛片１５，１６を有した配線トレー１０を、架け渡された状態の棚板２０の後端部２１に取り付けるためには、棚板２０の後方側に取付スペースが必要となるが、隙間Ｇが取付スペースの一部を構成する。これにより、架け渡された状態の棚板２０に対して配線トレー１０を取り付けることができ、使い勝手を向上させることができる。
また、収納装置１を、外れ側へ移動する配線トレー１０の上面引掛片１５の一部が棚板２０の上面２２に引っ掛かった状態で配線収納凹所１１の後側片部１８が壁面４に当接される構造としている。つまり、配線トレー１０の上面引掛片１５が棚板２０から外れるよりも先に、後側片部１８が壁面４に当接する構造としている。従って、例えば、収納空間の奥側へ移動される棚板２０の上面２２に載置された電子機器５等や、配線６等の荷重や引張り等によって、配線トレー１０に外れ側への外力が作用した場合にも配線トレー１０を棚板２０から外れ難くすることができる。つまり、上記のように配線トレー１０の後方側に隙間Ｇが形成されることで使い勝手の向上が可能でありながらも、この隙間Ｇによって外れ易くなる配線トレー１０の外れを抑制することができる。
なお、配線トレー１０の取付態様としては、上記したように架け渡された状態の棚板２０に取り付ける態様に限られず、取り外した棚板２０の後端部２１に取り付ける態様としてもよい。
【００３９】
また、本実施形態では、配線トレー１０の後側片部１８を、上方側から下方側に向かうに従い前方側へ下る傾斜状としている。従って、例えば、配線収納凹所１１の後側片部１８を、上下方向に沿う垂直形状とした場合と比べて、架け渡された状態の棚板２０への配線トレー１０の取付性を向上させながらも、配線収納凹所１１の後側片部１８と壁面４との間の隙間Ｇを小さくすることができる。つまり、上記したように、配線トレー１０を回動させ、下面引掛片１６を棚板２０の後端部２１の下面２３に引っ掛ける際に、傾斜状とされた後側片部１８が壁面４に干渉し難くなる。これにより、取付スペースの一部となる隙間Ｇを効果的に小さくすることができる。また、これにより、配線トレー１０の棚板２０からの外れを抑制するために必要となる上面引掛片１５の突出寸法Ｄ１を、小さくすることも可能となる。
また、本実施形態では、後側片部１８を、配線トレー１０の長手方向に見て、上面引掛片１５の突出方向先端１５ａを略円心とする円弧に略沿うような形状としている。従って、隙間Ｇをより効果的に小さくすることができる。
なお、このような態様に代えて、後側片部１８を、底片部１７の後端部から上下方向に沿って立ち上がるように設けるようにしてもよい。この場合は、配線トレー１０が棚板２０の後端部２１に取付可能で、かつ上面引掛片１５が棚板２０から外れるよりも先に後側片部１８が壁面４に当接するように、上面引掛片１５及び下面引掛片１６の前後寸法や、配線収納凹所１１の前後寸法等に応じて上記した空間を設定するようにしてもよい。
【００４０】
また、本実施形態では、配線トレー１０の後側片部１８の上端に、上方に向けて突出する突出片部１９を更に設けている。従って、配線収納凹所１１の後側片部１８と壁面４との隙間Ｇを小さくするように後側片部１８を傾斜状としながらも、配線収納凹所１１に収納された配線６等の奥側面側への脱落等を抑制することができる。なお、このような突出片部１９を設けないようにしてもよい。
【００４１】
また、本実施形態では、下面引掛片１６の突出寸法Ｄ２を、上面引掛片１５の突出寸法Ｄ１よりも大きくしている。従って、棚板２０の上面側の載置スペースを比較的に大きく確保しながらも、配線トレー１０の取付性をより向上させることができる。つまり、上記したように、配線トレー１０を回動させて、下面引掛片１６を棚板２０の後端部２１の下面２３に引っ掛ける際に、下面引掛片１６の先端が棚板２０の後端面に引っ掛かり難くなる。また、このように配線トレー１０を取り付ける際に、下面引掛片１６の突出寸法Ｄ２が大きいので、下面引掛片１６を容易に弾性変形させることができる。また、上記のように配線トレー１０を取り付ける際に、下面引掛片１６を誘いとして機能させることも可能となる。つまり、上記のように配線トレー１０を回動させて取り付ける際に、下面引掛片１６を棚板２０の後端部２１の下端角部に当接させて沿わせながら棚板２０の後端部２１に取り付けることも可能となる。また、例えば、このように取付性を向上すべく上面引掛片１５の突出寸法Ｄ１を下面引掛片１６の突出寸法Ｄ２よりも大きくすることも考えられるが、この場合には、上面引掛片１５によって棚板２０の上面側の載置スペースが小さくなる傾向がある。本実施形態によれば、棚板２０の上面側の載置スペースを比較的に大きく確保しながらも、配線トレー１０の取付性をより向上させることができる。なお、下面引掛片１６の突出寸法Ｄ２を、上面引掛片１５の突出寸法Ｄ１よりも小さくしてもよい。この場合は、配線トレー１０を、棚板２０の下方側から棚板２０の後端部２１に取り付けるようにしてもよい。また、これら下面引掛片１５及び下面引掛片１６の突出寸法Ｄ１，Ｄ２を略同寸法としてもよい。
【００４２】
また、本実施形態では、下面引掛片１６から上面引掛片１５の突出方向先端１５ａまでの棚板２０の厚さ方向に沿う寸法Ｈが、棚板２０の厚さ寸法Ｔよりも小さくなるように、上面引掛片１５を基端側から突出方向先端側１５ａに向かうに従い下る傾斜状としている。従って、上面引掛片１５の復元力を大きくすることができ、上面引掛片１５と下面引掛片１６との間に棚板２０の後端部２１を強固に挟むことができ、配線トレー１０を強固に棚板２０に取り付けることができる。また、突出寸法Ｄ１が小さい側の上面引掛片１５を斜め状としているので、下面引掛片１６を斜め状とした場合と比べて、棚板２０の上面２２に引っ掛けられる上面引掛片１５が弾性変形し難くなり、配線トレー１０の脱落を抑制することができる。
【００４３】
また、本実施形態では、配線収納凹所１１の前側片部１２及び後側片部１８（前後両側を区画する片部）を、それぞれの上端が上面引掛片１５よりも上方側に突出しないように形成している。従って、棚板２０の後端部２１に取り付けた配線トレー１０の配線収納凹所１１を、棚板２０の上面側において目立ち難くすることができる。
また、本実施形態では、後側片部１８の上端を、上面引掛片１５の上面よりも下方側に位置させている。従って、棚板２０の後端部２１に取り付けた配線トレー１０の配線収納凹所１１を、棚板２０の上面側においてより目立ち難くすることができる。なお、上記態様に代えて、前側片部１２及び後側片部１８の両方または一方が、上面引掛片１５よりも上方側に突出するように形成するようにしてもよい。
【００４４】
また、本実施形態では、配線収納凹所１１の前側片部１２（前側を区画する片部）を、連結片部１３と延出片部１４とによって構成している。従って、配線収納凹所１１の前側片部１２が棚板２０の後端面に沿うように配設されることとなり、例えば、連結片部１３に後方側に向けて突出する片部を設け、この片部に配線収納凹所を設けたような場合と比べて、配線トレー１０の奥行寸法（棚板前後方向に沿う寸法）を小さくしながらも配線収納凹所１１の奥行寸法を大きくすることができる。
また、この前側片部１２を構成する延出片部１４の下端部に配線収納凹所１１の底側を区画する底片部１７を連なるように設けている。従って、配線収納凹所１１の深さ寸法を大きくすることができ、配線６等の収納スペースを大きくすることができる。これにより、配線６等をより目立ち難くすることができる。また、このように深さ寸法を大きくしながらも、配線収納凹所１１を下方側に大きくするようにしているので、棚板２０の上面側における見栄えの低下を抑制することができる。
【００４５】
また、本実施形態では、延出片部１４の厚さ寸法Ｔ２を、連結片部１３の厚さ寸法Ｔ１よりも大きくしている。従って、配線６等の荷重が掛けられたり、棚板２０の後端部２１に対して着脱する際等のように配線トレー１０に外力が作用する場合等において他の部位に比べて大きな負荷が掛かることとなる延出片部１４の強度を向上させることができ、当該部位における破損を抑制することができる。つまり、本実施形態によれば、配線トレー１０の収納スペースを大きくしながらも、延出片部１４の破損を抑制することができる。なお、このような態様に代えて、連結片部１３の厚さ寸法Ｔ１及び延出片部１４の厚さ寸法Ｔ２を略同寸法としてもよい。
【００４６】
なお、本実施形態では、上面引掛片１５を基端側から突出方向先端側に向かうに従い下る傾斜状とした例を示しているが、この態様に限定されない。上面引掛片１５及び下面引掛片１６の両方または下面引掛片１６のみを傾斜状としてもよい。また、このような態様に代えて、上面引掛片１５の突出方向先端１５ａの下面側及び下面引掛片１６の突出方向先端の上面側の両方または一方に、棚板２０の上面２２または下面２３に当接される突起を設けた態様としてもよい。上下の弾性引掛片１５，１６としては、その他、種々の態様とされたものとしてもよい。
また、本実施形態では、連結片部１３と延出片部１４とによって前側片部１２を構成し、延出片部１４の下端部に底片部１７を設けた例を示しているが、この態様に限定されない。例えば、連結片部１３に後方側に向けて突出する片部を設け、この片部の後方側に連なるように配線収納凹所１１を設けるようにしてもよい。
また、本実施形態では、配線トレー１０を、棚板２０に取り付けた例を示しているが、このような態様に限定されず、配線トレー１０を、収納装置１が備える他の棚板２０Ａ，２０Ｂに取り付けるようにしてもよい。この場合は、これら棚板２０Ａ，２０Ｂを、壁面４との間に空間を設けるように取り付けるようにしてもよい。
【符号の説明】
【００４７】
１        収納装置
４        壁面（収納空間の奥側面）
１０      配線トレー
１１      配線収納凹所
１５      上面引掛片（上面側の弾性引掛片）
１６      下面引掛片（下面側の弾性引掛片）
１８      後側片部（配線収納凹所の後側を区画する片部）
１９      突出片部
２０      棚板
２１      後端部
２２      上面
２４ａ    収納空間の内側面
２５ａ    収納空間の内側面
Ｇ        後側片部と収納空間の奥側面との間の隙間
【図１】
2014204785.tif 000003
【図２】
2014204785.tif 000004
【図３】
2014204785.tif 000005